(57)【特許請求の範囲】
【請求項１】
装置本体に設置された画像読取センサと、この画像読取センサの上部に設けられたコンタクトガラスと、このコンタクトガラス上を通過するようにシート原稿を搬送する搬送手段と、装置本体に回動可能に設けられ、前記コンタクトガラス上を開閉するカバーとを備え、シート原稿を移動させながら前記画像読取センサによって画像を読み取る画像読取装置において、
前記コンタクトガラス上にスライド可能に清掃部材を設け、前記カバーを閉じた状態のときに前記清掃部材を前記コンタクトガラスにおける原稿通紙面外の部分に位置付け、前記カバーを開いたときに前記清掃部材をスライドさせて前記コンタクトガラス面を払拭させ、
さらに、装置本体の外装の一部に、外部から前記コンタクトガラスの長手方向に往復移動させる引き出し部材を設け、前記カバーを閉じた状態のときに、前記清掃部材を、前記カバーに設けられた画像光量補正用のシェーディング板および前記コンタクトガラスに当接させ、前記引き出し部材の往復移動に連動させて前記清掃部材をスライドさせることによって前記コンタクトガラス面および前記シェーディング板面を払拭させるように構成したことを特徴とする画像読取装置。
【発明の詳細な説明】
【０００１】
【発明の属する技術分野】
本発明は、スキャナ，ファクシミリ装置，ファクシミリ機能や画像記録機能を備えた複合機等に適用され、画像読取センサ上にシート原稿を移動させて画像を読み取る画像読取装置に関する。
【０００２】
【従来の技術】
シート原稿を移動させて画像を読み取るタイプの画像読取装置においては、原稿が、画像を読み取るライン上に設置されたコンタクトガラス上を搬送されることによって画像読み取りが行われる。その際、原稿は、画像面側をコンタクトガラスに接触させて滑りながら搬送されるため、原稿に付着しているトナー，インク，修正液、さらに紙粉，ゴミ等がコンタクトガラス上に付着し易くなる。コンタクトガラスに付着したゴミが、読み取りライン上にのってしまうとシェーディング不良や、そのまま読み込んでしまうことによる白すじ、黒すじ等の画像不良が発生し、品質クレームの対象となってしまう。
【０００３】
ところが、コンタクトガラスに汚れが付着しにくくするための対策として、現在のところ絶対的なものはなく、静電気による付着の影響をなくすためにコンタクトガラス表面に帯電防止処理を施したり、原稿搬送レイアウト上の工夫をしたり、定期的なサービスマンによる清掃などで処理している。
【０００４】
【発明が解決しようとする課題】
しかし、最終的には使用者が清掃できるようにしておいて、不良画像が発生したときなどにこまめに清掃してもらうのが最も有効な手段であるが、通常、清掃部材は用意されていないために自分で布等を準備して清掃を行わなければならない。
【０００５】
本発明は、このような問題点を解決し、コンタクトガラスの汚れにより読み取り異常画像が発生した時点で、使用者またはサービスマンによる簡単な操作によってコンタクトガラスの清掃を可能にした画像読取装置を提供することを目的とする。
【０００６】
【課題を解決するための手段】
前記目的を達成するための本発明は、装置本体に設置された画像読取センサと、この画像読取センサの上部に設けられたコンタクトガラスと、このコンタクトガラス上を通過するようにシート原稿を搬送する搬送手段と、装置本体に回動可能に設けられ、前記コンタクトガラス上を開閉するカバーとを備え、シート原稿を移動させながら前記画像読取センサによって画像を読み取る画像読取装置において、前記コンタクトガラス上にスライド可能に清掃部材を設け、前記カバーを閉じた状態のときに前記清掃部材を前記コンタクトガラスにおける原稿通紙面外の部分に位置付け、前記カバーを開いたときに前記清掃部材をスライドさせて前記コンタクトガラス面を払拭させ、さらに、装置本体の外装の一部に、外部から前記コンタクトガラスの長手方向に往復移動させる引き出し部材を設け、前記カバーを閉じた状態のときに、前記清掃部材を、前記カバーに設けられた画像光量補正用のシェーディング板および前記コンタクトガラスに当接させ、前記引き出し部材の往復移動に連動させて前記清掃部材をスライドさせることによって前記コンタクトガラス面および前記シェーディング板面を払拭させるように構成したことを特徴とする。このような構成により、清掃部材が原稿搬送の障害にならなくなる。また、清掃部材をコンタクトガラスとシェーディング板の両方に当接させることにより、引き出し部材の操作で両方同時に清掃することができる。
【００１０】
【発明の実施の形態】
以下、本発明の実施形態について、図面を参照しながら詳細に説明する。
【００１１】
図１は本発明を説明するための参考例１としての画像読取装置を備えたファクシミリ装置の概略構成を示す側面図であり、１はファクシミリ装置の本体、２は原稿搬送装置、３は原稿の入り口となる原稿セット口、４は、原稿セット口３の近傍に設けられ、原稿を載置する原稿トレイ、５はコンタクトガラス、６はコンタクトガラス５の下方に固定された画像読み取り用の密着センサを示し、密着センサ６上にコンタクトガラス５を密着させるように取り付けることで密着センサユニットが構成される。７は原稿排出口、８は、原稿排出口７の近傍に設けられ、排出された原稿を載置する原稿排出トレイ、９は記録紙を収納する記録紙カセット、１０は電子写真感光体、１１は現像ユニット、１２は定着ユニット、１３は記録紙排出口を示し、電子写真感光体１０，現像ユニット１１および定着ユニット１２を含む電子写真記録装置によって記録紙に画像が記録される。１４は、本体１の上面に形成され、記録紙排出口１３から排出された画像記録後の記録紙を載置する記録紙トレイを示す。
【００１２】
原稿トレイ４にセットされた原稿は原稿搬送装置２によって原稿セット口３から搬入され、コンタクトガラス５を通過して原稿排出口７を介して原稿排出トレイ８に排出される。また、原稿の画像はコンタクトガラス５を通過する際に、密着センサ６によって読み取られる。この密着センサ６によって読み取られた画像は、電話回線を介して相手側ファクシミリ装置に送信されるか、あるいは上述した電子写真記録装置によって記録紙に記録される。
【００１３】
図２は密着センサ付近の構成を示す説明図であり、１５は原稿をコンタクトガラス５に向かうようにガイドする搬送ガイド、１６は画像光量補正用のシェーディング板である白色の原稿押さえ板、１７は原稿押さえ板１６をコンタクトガラス５表面に向けて押圧する加圧スプリング、１８はコンタクトガラス５を通過した原稿をガイドする搬送ガイドを示す。
【００１４】
原稿は、搬送ガイド１５に導かれてコンタクトガラス５上の画像読取ラインに搬送されるが、通常、コンタクトガラス５と原稿押さえ板１６との間隔は０．３〜０．５mm程度に設定されているため、ほとんど原稿はコンタクトガラス５に押しつけられるように搬送される。これにより画像読取ラインにおける原稿のばたつきが規制されるが、一方ではコンタクトガラス５に汚れを付着させる要因になっている。
【００１５】
図３はスキャナユニットカバーを開いたときの外観を示す斜視図、図４はスキャナユニットカバーを閉じたときの外観を示す斜視図であり、２０はスキャナユニットカバー、２１は本体１に設けられたローラ、２２は、スキャナユニットカバー２０に設けられ、ローラ２１に当接するローラ、２３は本体１におけるローラ２１に対して原稿搬送方向下流側に設けられたローラ、２４は、スキャナユニットカバー２０に設けられ、ローラ２３に当接するローラ、２５は本体１におけるローラ２３およびコンタクトガラス５に対して原稿搬送方向下流側に設けられたローラ、２６は、スキャナユニットカバー２０に設けられ、ローラ２５当接するローラ、２７は清掃部材を示す。
【００１６】
スキャナユニットカバー２０は、本体１に回動可能に取り付けられており、ローラ２２，２４，２６、さらに原稿押さえ板１６および加圧スプリング１７が備えられている。そして、スキャナユニットカバー２０は、原稿ジャムの解除やコンタクトガラス５の清掃の際に図３に示すように開かれ、通常の使用時には図４に示すように閉じた状態にする。
【００１７】
図５は清掃部材の構成を示す斜視図であり、３０は清掃布、３１は清掃布３０を保持するブラケット、３２は、ブラケット３１の下部に設けられ、底面が清掃布３０の取付面になる凹部、３３はブラケット３１の上部に設けられたつまみ、３４は、ブラケット３１の側部に設けられ、凹部３２の底面に連通する清掃液補充口、３５は、ブラケット３１の両側部の下部に設けられ、搬送ガイド１５の端部に係合するガイドレールを示す。
【００１８】
清掃布３０の材質としてはコンタクトガラス５に傷がつかずしかも清掃に適した柔らかい布や紙あるいはフェルト等が用いられる。また、凹部３２の形状は、コンタクトガラス５の長手方向両側の側面形状より若干大きく、清掃布３０を取り付けた場合に略一致する形状となる。また、ブラケット３１の内部には、清掃液補充口３４から補充された清掃液の液溜り(図示せず)が設けられている。
【００１９】
図６は清掃部材を密着センサユニットに取り付けた状態を示す斜視図、図７は密着センサユニットの周辺の構成を示す側面図であり、清掃布３０がコンタクトガラス５に当接するように凹部３２をコンタクトガラス５に係合させ、コンタクトガラス５に対して原稿搬送方向前後の搬送ガイド１５，１８の端部に清掃部材２７のガイドレール３５，３５を係合させることによって、清掃部材２７が通紙面下の搬送ガイド１５，１８の端部に沿ってコンタクトガラス５上を長手方向に移動可能に載置される。そして、通常、清掃部材２７はコンタクトガラス５上における端部の通紙面以外の部位に位置付けられている。
【００２０】
そして、清掃液補充口３４からアルコールや洗剤等のガラスの清掃に適した清掃液を補充して、清掃布３０に清掃液が染みるようにしておき、画像不良が生じた場合にスキャナユニットカバー２０を開け、つまみ３３を持って清掃部材２７をスライドさせることにより、清掃布３０によってコンタクトガラス５上の汚れが払拭される。
【００２１】
このように構成したことにより、サービスマンあるいは使用者によってコンタクトガラス５の清掃が簡単に行うことが可能になり、異常画像の発生を防止することができる。
【００２２】
図８は本発明を説明するための参考例２としての画像読取装置におけるコンタクトガラス付近の構成を示す斜視図であり、４０は清掃パッド、４１は、清掃パッド４０を保持し、密着センサユニットに取り付けられるブラケット、４２は引き出し部材である外装取手を示す。なお、図１〜図７に示した参考例１における部材と同一の部材については同一の符号を付して詳細な説明は省略した。
【００２３】
ブラケット４１は、密着センサユニットの原稿搬送方向の両側面に対向し、密着センサユニットの長手方向の長さもしくはそれより若干長く構成された長手方向視Ｌ字型のガイドレール部４１ａ，４１ａと、ガイドレール部４１ａ，４１ａの一端部を、コンタクトガラス５上を渡すように連結させた清掃パッド保持部４１ｂと、ガイドレール部４１ａ，４１ａの他端部に設けられ、密着センサユニットの長手方向の側面に対向する面を形成する取手取付部４１ｃとから構成されている。
【００２４】
清掃パッド保持部４１ｂの下面に清掃パッド４０を取り付け、取手取付部４１ｃの外面に外装取手４２を取り付けたブラケット４１を、密着センサユニットに取り付ける。このとき、ガイドレール部４１ａ，４１ａは、コンタクトガラス５に対して原稿搬送方向前後の搬送ガイド１５，１８の端部に係合する。また、図９に示すように、本体１の外装には、ブラケット４１を取り付けた際に外装取手４２が外部に露出するように、孔部４３が形成されている。
【００２５】
そして、外装取手４２の引き出し／戻し動作を行うことにより、外装取手４２に連動して清掃パッド４０がコンタクトガラス５上に当接した状態でスライド移動することにより、コンタクトガラス５上の汚れが払拭される。
【００２６】
このように構成したことにより、スキャナユニットカバー２０を開けることなく、コンタクトガラス５の清掃を行うことが可能になる。
【００２７】
図１０は本発明の一実施形態の画像読取装置におけるコンタクトガラス付近の構成を示す斜視図であり、５０は原稿押さえ板１６の清掃用の清掃パッドを示す。なお、図８に示した参考例２における部材と同一の部材については同一の符号を付して詳細な説明は省略した。
【００２８】
すなわち、本実施形態の画像読取装置は、参考例２における清掃パッド保持部４１ｂの上面に清掃パッド５０を取り付け、スキャナユニットカバー２０を閉じた際に、清掃パッド５０が原稿押さえ板１６に当接するように構成したものである。
【００２９】
そして、外装取手４２の引き出し／戻し動作を行うことにより、外装取手４２に連動して清掃パッド４０がスライド移動することによりコンタクトガラス５上の汚れが払拭され、同時に原稿押さえ板１６の汚れが払拭されるため、原稿押さえ板１６の汚れによって正常に画像光量補正ができなくなることが防止され、異常画像の発生を防止できる。
【００３０】
【発明の効果】
以上、説明したように構成された本発明によれば、コンタクトガラスの汚れにより読み取り異常画像が発生した時点で、ユーザまたは清掃部材をコンタクトガラスの長手方向にスライドさせるだけで、簡単に清掃が可能になる。
【００３１】
また、引き出し部材に連動して清掃部材が移動するため、カバーを開けずに引き出し部材を引き出したり戻したりすることでコンタクトガラスの清掃が可能になる。
【００３２】
また、清掃部材をコンタクトガラスとシェーディング板の両方に当接させることにより、引き出し部材の操作で両方同時に清掃することができる。
【図面の簡単な説明】
【図１】  本発明を説明するための参考例１としての画像読取装置を備えたファクシミリ装置の概略構成を示す側面図
【図２】  密着センサ付近の構成を示す説明図
【図３】  スキャナユニットカバーを開いたときの外観を示す斜視図
【図４】  スキャナユニットカバーを閉じたときの外観を示す斜視図
【図５】  清掃部材の構成を示す斜視図
【図６】  清掃部材を密着センサユニットに取り付けた状態を示す斜視図
【図７】  密着センサユニットの周辺の構成を示す側面図
【図８】  本発明を説明するための参考例２としての画像読取装置におけるコンタクトガラス付近の構成を示す斜視図
【図９】  本発明の参考例２の画像読取装置の外観を示す斜視図
【図１０】  本発明の一実施形態の画像読取装置におけるコンタクトガラス付近の構成を
示す斜視図
【符号の説明】
１  本体
２  原稿搬送装置
５  コンタクトガラス
６  密着センサ
１５，１８  搬送ガイド
１６  原稿押さえ板
１７  加圧スプリング
２０  スキャナユニットカバー
２７  清掃部材
３０  清掃布
３１，４１  ブラケット
３２  凹部
３３  つまみ
３４  清掃液補充口
３５  ガイドレール
４０，５０  清掃パッド
４１ａ  ガイドレール部
４１ｂ  清掃パッド保持部
４１ｃ  取手取付部
４２  外装取手
４３  孔部
【図１】
0003671328.tif 000002
【図２】
0003671328.tif 000003
【図３】
0003671328.tif 000004
【図４】
0003671328.tif 000005
【図５】
0003671328.tif 000006
【図６】
0003671328.tif 000007
【図７】
0003671328.tif 000008
【図８】
0003671328.tif 000009
【図９】
0003671328.tif 000010
【図１０】
0003671328.tif 000011